(57)【要約】      （修正有）【課題】ボイラーの不凍液を循環させるポリエチレン菅を配管して足癒ボックス内部の岩盤を保温することで、内部の乾燥状態を維持し遠赤外線を放射して容易に保温可能とする。【解決手段】仕切り板を設けたボックス本体５内にボイラーを設置するボイラー室１２とそこに設置したボイラーより不凍液を循環させるためにポリエチレン管を配管した足癒ボックス１３を設け、ボイラー室にはボイラー７を設置し、足癒ボックス底部に断熱材を敷き、その上にアルミ板を敷き、その上にボイラーより不凍液を循環させるポリエチレン管８を配管してモルタルを充填し、その上に岩盤を設置し、足癒ボックスの内壁面にポリエチレン菅８をジョイントパイプを介して延長して螺旋状に配管して、ボイラー７に通電して保温した不凍液を循環させ足癒ボックス内部の乾燥状態を維持し岩盤より遠赤外線を放射して容易に保温可能とする。【選択図】図１
0003134705.tif 000002
【実用新案登録請求の範囲】
【請求項１】
ボックス本体内に仕切り板を設けてボイラーを設置するボイラー室と設置したボイラーより不凍液を循環させるための配管をした足癒ボックスとを設け、ボイラー室にはボイラーを設置し、足癒ボックス底部に断熱材を敷き、その上にアルミ板を敷き、その上にボイラーより不凍液を循環させるため前記配管をしてモルタルを充填して、その上に岩盤を設置し、足癒ボックスの内壁面に螺旋状に前記配菅を延長して、ボイラーの不凍液を配管により足癒ボックスに循環させ保温することを特徴とする足癒ボックス装置。
【請求項２】
ボックス本体内に仕切り板を設けてボイラーを設置するボイラー室と設置したボイラーより不凍液を循環させるための配管をした足癒ボックスとを設け、ボイラー室にはボイラーを設置して、足癒ボックスの底面及び内壁面に配管をして、ボイラーに通電してボイラーにより保温した不凍液を足癒ボックスに循環させ足癒ボックス内部の乾燥状態を維持できるようにしたことを特徴とする請求項１に記載の足癒ボックス装置。
【考案の詳細な説明】
【技術分野】
【０００１】
本考案は、足癒ボックス内部の乾燥状態を維持し保温が容易な足癒ボックス装置に関するものである。
【背景技術】
【０００２】
一般に容器の中に入れた温湯に足を浸す足湯装置として実用に供されているものがある。しかし、実用の足湯装置は、容器の温湯を、入る人が代わるたびに、取り替えなければいけない必要から、衛生的でなく、取り替えるたびに洗浄するので手間がかかる欠点がある。
【０００３】
しかし、そのために、足湯装置の活用範囲が制限される。即ち、利用される場所的範囲が限られるという問題がある。その問題の根本原因は、水を沸かして温湯に足を浸すという点にある。
【０００４】
足湯装置の用途において、この欠点は利便性に関して大きな障害である。具体的には、温湯の交換、洗浄に手間がかかりすぎるため足湯装置の利用頻度が低下する。
【０００５】
この改善策として、本考案はボイラーを使用しボイラーからポリエチレン管を足癒ボックス内に配管して、ボイラーで保温された不凍液を配管に通して循環させ足癒ボックス内部を保温するものであるので、温湯を使用せずに、足癒ボックス内に敷設してある岩盤を保温して乾燥状態を保つことができるようにしている。
【特許文献１】特開２００６−３０５２５３号公報
【特許文献２】特開２００５−２８８１１０号公報
【特許文献３】特開２００４−３３７４７０号公報
【考案の開示】
【考案が解決しようとする課題】
【０００６】
解決しようとする問題点は、一般の足湯ボックスは、ボックス内に温湯を温めて足を浸けるものであるため、使用した温湯を替えて入れ替えた水を温めて保温するまで手間や時間がかかるので、本考案はボイラーの不凍液を循環させるポリエチレン菅を足癒ボックス内に配管して足癒ボックス内部の岩盤をボイラーの不凍液で保温することで内部の乾燥状態を維持し前記岩盤より遠赤外線を放射して容易に保温可能とする。
【課題を解決するための手段】
【０００７】
本考案は、足癒ボックス装置のボックス本体内に仕切り板を設けてボイラーを設置するボイラー室とそこに設置したボイラーより不凍液を循環させるためにポリエチレン管を配管した足癒ボックスを設け、ボイラー室にはボイラーを設置し、足癒ボックス底部に断熱材を敷き、その上にアルミ板を敷き、その上にボイラーより不凍液を循環させるポリエチレン管を配管してモルタルを充填し、その上に岩盤を設置し、足癒ボックスの内壁面に前記ポリエチレン菅を延長して螺旋状に配管して、ボイラーの不凍液を配管により足癒ボックスに循環させ保温することを最も主要な特徴とする足癒ボックス装置である。
又本考案の特徴は、ボックス本体内に仕切り板を設けてボイラーを設置するボイラー室と設置したボイラーより不凍液を循環させるためのポリエチレン管を配管した足癒ボックスとを設け、ボイラー室にはボイラーを設置して、足癒ボックスの底面及び内壁面にポリエチレン管を配管して、電源を入れボイラーに通電してボイラーにより保温した不凍液を配管により足癒ボックスに循環させ足癒ボックス内部の乾燥状態を維持できるようにした足癒ボックス装置である。
【考案の効果】
【０００８】
本考案の足癒ボックス装置は、足癒ボックス装置のボックス本体のボイラー室に設置したボイラーから保温した不凍液をポリエチレン製の配管を通して足癒ボックス内に循環させるため、足癒ボックス内を乾燥した状態に常に維持できるので、台所においても良く、事務所においても良く乾燥状態で足癒ボックス装置を使えるという利点がある。
【考案を実施するための最良の形態】
【０００９】
常に、足癒ボックスを乾燥状態で保温状態にするという目的を、岩盤を足癒ボックス内に設置し、小型のボイラーをボイラー室内に設置して、ボイラーで温めた不凍液を足癒ボックス内に設置したポリエチレン製の配管により循環させて、足癒ボックス内を乾燥状態にして岩盤を保温し、岩盤より照射される遠赤外線による足癒ボックス内の保温効果を実現した。
【実施例１】
【００１０】
図１は、本考案装置の１実施例を示す説明図であって、足癒ボックス装置の蓋を取った内部のボイラーとアルミ管の配管の状態を示す平面図である。図２は同実施例において足癒ボックス装置に蓋をした状態の平面図である。図３は、足癒ボックス装置内部ボイラー室に設置した小型のボイラーと足癒ボックス内部のポリエチレン管の配管の状態を示す縦断面図、図４は足癒ボックス装置の蓋を取ったボイラー室内部のボイラーと足癒ボックス内部のポリエチレン管の配管の状態を示す平面図において、Ａ−Ａ線を示す。図５はＡ−Ａ線断面図を示す。１は  断熱材、  ２ａは  断熱材の上に設けるアルミ板，２ｂは  足癒ボックス内壁に設けるアルミ板、  ３は  モルタル、  ４は  岩盤、５は  足癒ボックス装置のボックス本体、６ａは  ボイラー室の蓋，６ｂは    足癒ボックスの蓋、７は    ボイラー、８は    ポリエチレン管の配管、９は  足入口、１０は    配管をつなぐジョイントパイプ、１１は    ボックス内部の仕切り板、１２は  ボイラー室、１３は  足癒ボックスである。  
【００１１】
本考案は、材料として望ましい木製で作られるボックス本体５内にボックス内部の仕切り板１１を設けて、小型のボイラーを設置するボイラー室１２とそこに設置したボイラーより不凍液を循環させるためにポリエチレン管を配管する足癒ボックス１３を設け、ボイラー室１２には小型のボイラー７を設置し、足癒ボックス１３の底部に断熱材１を敷き、その上にアルミ板２を敷き、その上にボイラーより不凍液を循環させるポリエチレン管８を配管してモルタル３を充填し、その上に岩盤４を設置し、足癒ボックス１３内の壁面に前記のポリエチレン菅８をジョイントパイプ１０を介して延長して螺旋状に配管して、ボイラー７に通電して不凍液を保温してポリエチレン管８内を循環させ、足癒ボックス１３内部の乾燥状態を維持し岩盤より遠赤外線を放射して保温することを最も主要な特徴とする。
【００１２】
上記の足癒ボックス装置の構造においては、足癒ボックス装置のボイラー室１２に蓋６ａと足癒ボックス１３に蓋６ｂをして、ボイラー７よりポリエチレン管８の配管によって不凍液を循環させて内部を乾燥状態にして保温することができる。足癒ボックス装置を使用する場合には、ボイラーの電源を入れて乾燥状態を維持した足癒ボックスの足入口９より足をボックス内へ入れて、岩盤より照射する遠赤外線により足全体を保温することができる。
【００１３】
このような足癒ボックス装置の構造を採用したので、足癒ボックス内は常に乾燥状態に維持して保温されており、お湯を使用せず、お湯を入れ替える作業が面倒で無く、足癒ボックスを容易に使用できる。
【産業上の利用可能性】
【００１４】
従って、使用者には足癒ボックス装置の使用が容易になるので、介護ホーム、老人施設、病院待合室、整体マッサージ治療室、接骨院、健康サロン、理美容室、会社休憩室、旅館、ホテル、喫茶店、家庭、図書館等でもてなす用途にも適用できる。
【図面の簡単な説明】
【００１５】
【図１】足癒ボックス装置の実施方法を示した説明図である。（実施例１）
【図２】足癒ボックス装置の実施方法を示した平面図である。（実施例１）
【図３】足癒ボックス装置の縦断面を示す説明図である。（実施例１）
【図４】足癒ボックス装置の実施方法を示した説明図においてＡ−Ａ線の箇所を示すものである。（実施例１）
【図５】足癒ボックス装置のＡ−Ａ線縦断面を示す説明図である。（実施例１）
【符号の説明】
【００１６】
１    断熱材
２ａ，２ｂ    アルミ板
３    モルタル
４    岩盤
５    足癒ボックス装置のボックス本体
６ａ，６ｂ    蓋
７    ボイラー
８    ポリエチレン管の配管
９    足入口  
１０    ジョイントパイプ
１１    ボックス内部の仕切り板
１２    ボイラー室
１３    足癒ボックス
【図１】
0003134705.tif 000003
【図２】
0003134705.tif 000004
【図３】
0003134705.tif 000005
【図４】
0003134705.tif 000006
【図５】
0003134705.tif 000007